(57)【要約】【課題】  本発明は、植物生育用の培地が収容される栽培槽を備えた栽培装置を可動式とした植物栽培システムに関し、コストが安く、かつ拡張性に富んだ植物栽培システムを提供する。【解決手段】  複数本のレール１０、互いに平行に複数本のレール１０に跨がるように横たえられた２本の丸棒２０、２列に立設した複数本の支柱３１と、それら複数本の支柱３１に支持された、植物生育用の培地が収容される栽培槽３２とを有する栽培装置３０、および支柱の下端部を支持する支持部材と、丸棒の左右方向両側斜め上に乗り、丸棒の転がりに応じて回転する一対のコロとを有する、複数本の支柱それぞれに対応して備えられ、共同して、栽培装置３０を２本の丸棒２０の上に載せる複数の支持装置４０を備えた。【選択図】        図１
2014183787.tif 000002
【特許請求の範囲】
【請求項１】
左右方向に延びる向きに水平に置かれ前後方向に配列された複数本のレール、
前記複数本のレールの上に、前後方向に延びる向きに互いに平行に該複数本のレールに跨がるように横たえられた２本の丸棒、
左右方向には前記丸棒どうしの間隔と同一間隔であって前後方向に複数本ずつ並ぶように２列に立設した複数本の支柱と、該複数本の支柱に支持された、植物生育用の培地が収容される栽培槽とを有する栽培装置、および
前記複数本の支柱のうちの１本の支柱の下端部を支持する支持部材と、該支持部材に支持されて前記２本の丸棒のうちの１本の丸棒の左右方向両側斜め上に乗り、該丸棒の転がりに応じて回転する一対のコロとを有する、前記複数本の支柱それぞれに対応して備えられ、共同して、前記栽培装置を前記２本の丸棒の上に載せる複数の支持装置を備えたことを特徴とする植物栽培システム。
【請求項２】
前記栽培装置が、前記２本の丸棒のうちの少なくとも一本の丸棒を転がすためのモータを備え、
当該植物栽培システムが、前記モータの回転駆動力を前記丸棒に伝達して該丸棒を転がす駆動力伝達機構を備えたことを特徴とする請求項１記載の植物栽培システム。
【請求項３】
前記支持部材は、金属板材のプレス加工を経て形成された互いに同一形状の２枚の支持金具が互いに向き合う姿勢に固定されたものであり、該２枚の支持金具それぞれが、前記支柱の下端部を該２枚の支持金具で共同して受け入れる、該下端部の半周に沿う形状の半筒部と、該半筒部の下端から内向きに広がり前記支柱の下端を支える鍔部と、該鍔部よりも下に広がり、前記一対のコロ双方の回転軸の前後方向一方を支持する軸支持部とを有することを特徴とする請求項１又は２記載の植物栽培システム。
【発明の詳細な説明】
【技術分野】
【０００１】
本発明は、植物生育用の培地が収容される栽培槽を備えた栽培装置を可動式とした植物栽培システムに関する。
【背景技術】
【０００２】
従来より、例えば温室内等において、地面に支柱を立ててその支柱で地面よりも高い位置に栽培槽を支持し、その栽培槽に培地を入れて植物を栽培することが行なわれている。このように構成すると、地面に直植えした場合と比べ、培地の管理が容易となり、また栽培槽を人が作業し易い高さに置くことで作業性が向上する。
【０００３】
ここで、例えば温室内等の決められたスペースになるべく多数の栽培槽を配置して、例えば温室であれば暖房費の節約を図り、また、作業者の移動をできるだけ短縮化することが求められている。
【０００４】
このためには、作業スペースを必要な箇所に順次に確保するため、可動式とする必要がある。
【０００５】
特許文献１には、栽培ハウス内の上部にレールを設置し、そのレール上に走行台車を置き、その走行台車に栽培槽を吊り下げ、駆動モータで走行台車を栽培槽ごとレールに沿って移動させる構成が開示されている。
【先行技術文献】
【特許文献】
【０００６】
【特許文献１】特開２０１２−１８２９９３号公報
【発明の概要】
【発明が解決しようとする課題】
【０００７】
しかしながら、上掲の特許文献１のような吊り下げる方式では、高い位置に強度のあるレールを設置するなどコスト的に高い大がかりなシステムとなる。またこのシステムは、当初からこのシステムを採用する目的でこのハウス全体を設計するのに向いており、例えば当初はハウス内の半分のスペースのみこのシステムを採用して残りの半分のスペースは例えば地面への直植えなど別の栽培方法を採用していて、途中でハウス内全域をこのシステムに置き換えるといった変更がやり難いという問題がある。
【０００８】
本発明は、上記事情に鑑み、コストが安く、かつ拡張性に富んだ植物栽培システムを提供することを目的とする。
【課題を解決するための手段】
【０００９】
上記目的を達成する本発明の植物栽培システムは、
左右方向に延びる向きに水平に置かれ前後方向に配列された複数本のレール、
それら複数本のレールの上に、前後方向に延びる向きに互いに平行にそれら複数本のレールに跨がるように横たえられた２本の丸棒、
左右方向には丸棒どうしの間隔と同一間隔であって前後方向に複数本ずつ並ぶように２列に立設した複数本の支柱と、それら複数本の支柱に支持された、植物生育用の培地が収容される栽培槽とを有する栽培装置、および
上記複数本の支柱のうちの１本の支柱の下端部を支持する支持部材と、その支持部材に支持されて上記２本の丸棒のうちの１本の丸棒の左右方向両側斜め上に乗り、丸棒の転がりに応じて回転する一対のコロとを有する、上記複数本の支柱それぞれに対応して備えられ、共同して、栽培装置を２本の丸棒の上に載せる複数の支持装置を備えたことを特徴とする。
【００１０】
本発明の植物栽培システムは、例えば地面の上に直置きされる複数本のレールを基台とするものであり、上掲の特許文献１のような高い位置にレールを設置するシステムと比べコストを抑えることができる。またレールをその長手方向に継ぎ足すだけで容易にそのスペースを拡張することができる。
【００１１】
また本発明の植物栽培システムは、上記の２本の丸棒の上に複数の支持装置を介して栽培装置を載せた簡易な構成であって、丸棒を転がすことで栽培装置を移動させることができる。また丸棒の長手方向についてもレールを並べて丸棒を継ぎ足すか丸棒を別途置くことで容易に拡張することができる。
【００１２】
尚、本発明にいう丸棒は、断面外形が円形であればよく、中空の丸棒すなわち丸パイプ等も含む概念である。
【００１３】
ここで本発明の植物栽培システムにおいて、栽培装置が、前記２本の丸棒のうちの少なくとも一本の丸棒を転がすためのモータを備え、この植物栽培システムが、上記のモータの回転駆動力を丸棒に伝達して丸棒を転がす駆動力伝達機構を備えることが好ましい。
【００１４】
この丸棒の転がし方は特定の転がし方に限られるものではなく、例えば小型のシステムであれば自動車のハンドルのような部材を丸棒に取り付けておいて作業者がその部材を回転させるようにしてもよい。ただし、大型のシステムになると作業者が丸棒を人力で転がすのは大変であり、上記のように、栽培装置にデータを載せておいてその栽培装置を載せている丸棒をそのモータで転がす構成とすることが好ましい。
【００１５】
また、本発明の植物栽培システムにおいて、上記支持部材は、金属板材のプレス加工を経て形成された互いに同一形状の２枚の支持金具が互いに向き合う姿勢に固定されたものであり、それら２枚の支持金具それぞれが、上記支柱の下端部をそれら２枚の支持金具で共同して受け入れる、その下端部の半周に沿う形状の半筒部と、半筒部の下端から内向きに広がり支柱の下端を支える鍔部と、その鍔部よりも下に広がり、上記一対のコロ双方の回転軸の前後方向一方を支持する軸支持部とを有するものであることが好ましい。
【００１６】
支持部材を上記の２枚の支持金具で構成すると、プレス加工で同一形状の支持金具を形成すればよく、この点でもコスト的に有利となる。
【発明の効果】
【００１７】
以上の通り、本発明によれば、コストが安く、かつ拡張性に富んだ植物栽培システムが実現する。
【図面の簡単な説明】
【００１８】
【図１】本発明の一実施形態としての植物栽培システムの斜視図である。
【図２】図１に示す植物栽培システムの断面図である。
【図３】図１，図２に示した植物栽培システムの利用法を示した模式図である。
【図４】図１〜図３を参照して説明した植物栽培システムで採用されている支持装置の斜視図である。
【図５】１枚の支持金具の外面を示した斜視図である。
【図６】１枚の支持金具の内面を示した斜視図である。
【図７】１枚の支持金具の、図６に示す矢印Ａ−Ａに沿う断面図である。
【図８】支持金具の変形例を示した図である。
【図９】支持金具４１Ａ’の固定穴４１２Ａの周りの構造を示した図である。
【図１０】支持金具４１Ａ’の支持穴４１５Ａの周りの構造を示した図である。
【発明を実施するための形態】
【００１９】
以下、本発明の実施の形態を説明する。
【００２０】
図１は、本発明の一実施形態としての植物栽培システムの斜視図である。また図２は、図１に示す植物栽培システムの断面図である。
【００２１】
この植物栽培システム１は、複数本（この図１にあらわれている例では５本）のレール１０と、それらのレール１０の上に横たえられた２本の丸パイプ２０と、１台の栽培装置３０と、その栽培装置３０と２本の丸パイプ２０の上に支持する複数の支持装置４０とを備えている。
【００２２】
レール１０は、左右方向（図示のＸ−Ｘ方向）に延びる向きに、例えば地面や床の上に水平に置かれ、前後方向（図示のＹ−Ｙ方向）に複数本配列されている。
【００２３】
また２本の丸パイプ２０は、それら複数本のレール１０の上に、前後方向（Ｙ−Ｙ方向）に延びる向きに互いに平行に、それら複数本のレール１０に跨るように横たえられている。
【００２４】
また、栽培装置３０は、複数本の支柱３１と、栽培槽３２とを有する。
【００２５】
複数本の支柱３１は、左右方向（Ｘ−Ｘ方向）には丸パイプ２０どうしの間隔ｄと同一間隔であって前後方向（Ｙ−Ｙ方向）に複数本並ぶように２列に立設している。本実施形態では、これら複数本の支柱３１にも丸パイプが使われている。左右方向（Ｘ−Ｘ方向）に並ぶ支柱３１どうしの間には上下２段の梁３３が固定され、前後方向（Ｙ−Ｙ方向）には、上下各２本の丸パイプ３４が固定されて、この栽培装置３０の枠組みが形成されている。栽培槽３２は、上下の梁３３のうちの上側の梁３３ａと上下の丸パイプ３４のうちの上側の丸パイプ３４ａとを支えにして、それらの梁３３ａと丸パイプ３４の上に載せられている。この栽培層３２には、栽培しようとしている植物に適した培地が収容されて植物が育てられる。
【００２６】
また、この植物栽培システム１には、複数本の支柱３１それぞれに対応して備えられ、共同して、栽培装置３０を２本の丸パイプ２０の上に載せる複数の支持装置４０が備えられている。詳細は後述するが、これらの支持装置４０のそれぞれは、支柱部材と一対のコロとを有し、栽培装置３０の支柱３１の下端部を支持し、丸パイプ２０の転がりに応じてコロが回転して丸パイプ２０の上から落ちないように丸パイプ２０の移動に追いて行く機能を有する。
【００２７】
２本の丸パイプ２０のうちの１本の丸パイプ２０ａにはハンドル２１が取り付けられており、作業者がこのハンドル２１を回すと、丸パイプ２０が回転してレール１０上を転がる。それに伴って支持装置４０がその丸パイプ２０の動きに追随してその丸パイプ２０の上から落ちないように移動する。したがって、その支持装置４０に支持されている栽培装置３０も移動し、その栽培装置３０を介して駆動力を受けてもう１本の丸パイプ２０ｂも移動する。
【００２８】
また、この栽培装置３０には、モータの梁３３に架け渡された台３５の上に、モータ３６が備えられている。本実施形態では、この１台の栽培装置３０に２台のモータ３６が備えられている。これらのモータ３６は、２本の丸パイプ２０のうちの、１本の丸パイプ２０ａを転がすためのモータである。この丸パイプ２０ａには、ギア２２が固定されており、モータ３６の回転がチェーン３７を介してギア２２に伝達されてギア２２が回転し、それにより丸パイプ２０ａが転がる構造となっている。上述した通り、丸パイプ２０ａが転がると、もう１本の丸パイプ２０ｂも転がり、それら２本の丸パイプ２０の上に載る栽培装置３０が移動する。
【００２９】
このように、本実施形態の植物栽培システム１は、ハンドル２１とモータ３６とのいずれでも栽培装置３０を移動させることができるシステムとなっている。
【００３０】
図３は、図１，図２に示した植物栽培システムの利用法を示した模式図である。
【００３１】
ここには、レール１０の上に複数台の栽培装置３０が置かれている。それらの複数台の栽培装置３０は、それぞれ、支持装置４０を介在させて各２本の丸パイプ２０の上に載っている。
【００３２】
各栽培装置３０に備えられている栽培槽３２では植物２が育てられている。その育てている植物の世話や収穫の際には、作業者が作業対象の１台の栽培装置３０に沿って前後方向（図３の紙面に垂直な方向：図１に示すＹ−Ｙ方向）に移動する必要があり、その移動のためのスペースを空ける必要がある。図３では、この移動のためのスペースとして幅Ｌのスペースが確保されている。この移動スペースは、栽培装置３０が何台配置されていても基本的には１つ分確保されていればよく、あとは栽培装置３０をレール１０に沿って左右方向（矢印Ｘ−Ｘ方向）に移動させればどの栽培装置３０に関しても作業することができる。
【００３３】
したがって例えば栽培ハウス等の限られたスペースに多数の栽培装置３０を配置して植物２を効率的に育てることができる。
【００３４】
図４は、図１〜図３を参照して説明した植物栽培システム１で採用されている支持装置の斜視図である。
【００３５】
この支持装置４０は、レール１０の上に載る丸パイプ２０の上に載っている。この支持装置４０は、支持部材４１と一対のコロ４２とを有する。
【００３６】
図１〜図３を参照して説明した植物栽培システム１を構成する栽培装置３０の支柱３１は丸パイプからなり、この支持装置４０を構成する支持部材４１は、その丸パイプの支柱３１の下端部を収容して支持する円筒形の支持部４１１を有する。また、この支持部材４１は一対のコロ４２を支持している。これらのコロ４２は、丸パイプ２０の、左右方向（矢印Ｘ−Ｘ方向）両側斜め上に乗り、丸パイプ２０の転がりに応じて回転する部材である。図４には、支持装置４０が１台のみ示されているが、支持装置４０は、図１に示すように、栽培装置３０を構成する複数本の支柱３１のそれぞれに対応して備えられており、共同して、栽培装置３０を２本の丸パイプ２０の上に載せる役割を担っている。
【００３７】
ここで、この支持装置４０を構成する支持部材４１は、同一形状の２枚の支持金具４１Ａ，４１Ａが互いに向き合う姿勢に固定されたものである。これら２枚の支持金具４１Ａ，４１Ａは、ここでは具体的な図示は省略したが、その固定部４１２が例えばボルトとナットで固定される。ただし、固定方法はボルトとナットに限られたものではなく、固定さえできればよく、接着剤による張り合わせや、かしめ等で固定してもよい。これら２枚の支持金具４１Ａ，４１Ａは、金属板材のプレス加工を経て形成されたものである。
【００３８】
図５，図６は、１枚の支持金具の、それぞれ外面、内面を示した斜視図である。また、図７は、その１枚の支持金具の図６に示す矢印Ａ−Ａに沿う断面図である。
【００３９】
図４に示す２枚の支持金具４１Ａ，４１Ａは、上述の通り金属板材のプレス加工を経て形成された、互いに同一の形状を有する金具である。それら２枚の支持金具４１Ａ，４１Ａが互いに向き合う姿勢に固定されて支持部材４１を構成している。図５〜図７にはそれら２枚の支持金具４１Ａ，４１Ａのうちの１枚のみを示している。
【００４０】
支持金具４１Ａは、半筒部４１１Ａと、固定穴４１２Ａと、鍔部４１３Ａと、軸支持部４１４Ａと、その軸支持部４１４Ａに形成された２つの支持穴４１５Ａを有する。
【００４１】
半筒部４１１Ａは、図１，図２に示す栽培装置３０の支柱３１（本実施形態では丸パイプ）の下端部の半周に沿う形状を有する部分である。この半筒部４１１Ａは、２枚の支持金具４１Ａ，４１Ａが向き合う姿勢に固定されたときにそれら２枚の支持金具４１Ａ，４１Ａで共同してその下端部を受け入れる円筒状の支持部４１１（図４参照）となる。
【００４２】
固定穴４１２Ａは、２枚の支持金具４１Ａ，４１Ａの固定に用いられる穴であり、２枚の支持金具４１Ａ，４１Ａを合わせた支持部材４１としての固定部４１２（図４参照）に相当するものである。
【００４３】
また、鍔部４１３Ａは、半筒部４１１Ａの下端から内向きに広がり、支持部４１１に差し込まれた支柱３1が下に抜け落ちないようにその支柱３１の下端を支える役割を担っている。
【００４４】
さらに、軸支持部４１４Ａは、鍔部４１３Ａよりも下に広がり、上述の一対のコロ４２，４２双方の回転軸の前後方向一方を支持する役割を担っている。本実施形態では、具体的にはこの軸支持部４１４Ａには２つの支持穴４１５Ａが形成されている。一方、本実施形態におけるコロ４２にはその回転軸部分に貫通孔（図示せず）が設けられており、その貫通孔にボルト形状の回転軸部材が挿通される。回転軸部材は、互いに向き合うように２枚固定された支持金具４１Ａ，４１Ａからなる支持部材４１（図４参照）の、互いに向き合った支持穴４１５Ａの一方に差し込まれ、コロ４２の貫通孔に挿通されてさらにもう一方の支持穴４１５Ａに差し込まれてナットと螺合し、コロ４２が支持部材４１に支持される。コロ４２は、そのボルト形状の回転軸部材の回りを自由回転する構造となっている。なおこのコロ４２としては、ここで説明しているような、ボルトを回転軸部材としそのボルトと摺動しながら回転するコロであってもよいが、ボールベアリング等のベアリング構造を有し回転に伴う摩擦抵抗を低減する構造のものであってもよい。
【００４５】
この点は、この支持装置４０（図１参照）の上に乗る栽培装置３０の重量等に応じて適宜設計すればよい。
【００４６】
本実施形態の植物栽培システム１は、図４〜図７に示す構造の支持装置４０を備えたものであり、簡易な構造で栽培装置３０を支持して丸パイプ２０の転がりに追随させることができる。
【００４７】
また本実施形態の植物栽培システム１は、地面や床の上に直置きされる複数本のレール１０を基台とするものであって、コストが抑えられ、また、設置規模を容易に拡張することができる。
【００４８】
図８は、支持金具の変形例を示した図である。
【００４９】
この図８には、変形例としての１枚の支持金具４１Ａ’と一対のボールベアリング４３，４３が示されている。この図８に示す支持金具４１Ａ’は、基本的には、図５〜図７を参照して説明した支持金具４１Ａと同一形状を有するものであり、以下では相違点のみ説明する。
【００５０】
この図８に示す支持金具４１Ａ’には、固定穴４１２Ａ（図５，図６参照）に隣接した位置にプレス加工で形成された突起４１６が設けられている。また、この図８に示す支持金具４１Ａ’には、支持穴４１５Ａ（図５，図６参照）周りに、これもプレス加工で形成された窪み４１７が形成されている。
【００５１】
固定穴４１２Ａおよび支持穴４１５Ａにはボルト５１が差し込まれてナット５２と螺合することにより組み立てられる。図８の右側にはボルト５１の頭部５１ａが示されており、図８の左側にはナット５２が示されている。
【００５２】
図９は、支持金具４１Ａ’の固定穴４１２Ａの周りの構造を示した図である。図９（Ａ）は、ボルト側から見た正面図，図９（Ｂ）は、支持金具４１Ａ’の断面図，図９（Ｃ）は、ナット側から見た背面図である。尚、図９（Ｂ）では、支持金具４１Ａ’のみ断面を示し、ボルトやナットは断面していない外形を示している。
【００５３】
ボルト５１は、２枚の支持金具４１Ａ’，４１Ａ’の固定穴４１２Ａ，４１２Ａに挿通され、ナット５２と螺合するが、ナット５２側には、ナット５２と支持金具４１Ａ’とに挟まれた位置にスプリングワッシャ５３が嵌め込まれている。ボルト５１の六角の頭５１ａは、回転しようとすると支持金具４１Ａ’の突起４１６と干渉し、回転不能な状態となっている。一方、ナット５２は、スプリングワッシャ５３が挟まれているため、突起４１６とは干渉せずに回転可能である。
【００５４】
このように、この突起４１６を設けると、ボルト５１を回転止めした状態でナット５２を締め付けて２枚の支持金具４１Ａ’，４１Ａ’を固定することができる。
【００５５】
図１０は、支持金具４１Ａ’の支持穴４１５Ａの周りの構造を示した図である。図１０（Ａ）は、ボルト側から見た正面図，図１０（Ｂ）は、支持金具４１Ａ’の断面図，図１０（Ｃ）は、ナット側から見た背面図である。尚、図９（Ｂ）と同様、図１０（Ｂ）では、支持金具４１Ａ’とボールベアリング４３のみ断面を示し、ボルト５１やナット５２等は断面していない外形を示している。
【００５６】
ここでは、前述の実施形態におけるコロ４２に代わり、ボールベアリング４３が使われている。このボールベアリング４３は、内輪４３１と外輪４３３との間にボール４３２が配置されており、内輪４３１と外輪４３３が相対的に自由回転可能な構造のものである。
【００５７】
ボルト５１は、２枚の支持金具４１Ａ’，４１Ａ’のうちの一方の支持金具４１Ａ’の支持穴４１５Ａに挿通され、ボールベアリング４３の中央の穴に挿通され、さらにもう一方の支持金具４１Ａ’の支持穴４１５Ａに挿通され、さらにスプリングワッシャ５３に挿通されてナット５２と組み合わされている。
【００５８】
ボルト５１の頭部５１ａは、支持金具４１Ａ’の窪み４１７に入り込んでいる。この窪み４１７には、その一部にボルト５１の頭部５１ａに近接した位置に垂直に立設した壁４１７ａが設けられている。このため、ボルト５１の六角の頭部５１ａは、回転しようとすると支持金具４１Ａ’の窪み４１７の壁４１７ａと干渉し、回転不能な状態となっている。一方、ナット５２は、スプリングワッシャ５３が挟まれているため、壁４１７ａとは干渉せずに回転可能である。
【００５９】
このような、回り止め用の壁４１７ａを有する窪み４１７を設けると、ボルト５１を回転止めした状態でナット５２を締め付けて２枚の支持金具４１Ａ’，４１Ａ’を固定することができる。
【００６０】
また、この窪み４１７は、ボールベアリング４３側から見ると突起となっている。ここでは、この窪み４１７の裏面に形成された突起によって、ボールベアリング４３の内輪４３１が挟まれており、ボルト５１とナット５２とによってその内輪４３１のみが固定されている。このボールベアリング４３の外輪４３３は自在に回転可能である。このように、この窪み４１７の構造は、ボールベアリング４３の内輪４３１を固定して外輪４３３は自由回転可能とするとともに、さらにボルト５１の回り止めの役割を成す構造となっている。
【００６１】
尚、突起４１６や窪み４１７の壁４１７ａを設けてボルト５１の回転を防止する構造は、支持装置４０あるいは植物栽培システム１にのみ適用可能なものではなく、ボルトとナットを使って何かを固定する様々な場面に適用可能な構造である。
【符号の説明】
【００６２】
１    植物栽培システム
１０    レール
２０，２０ａ，２０ｂ，３４    丸パイプ
２１    ハンドル
２２    ギア
３０    栽培装置
３１    支柱
３２    栽培槽
３３，３３ａ，３４ａ    梁
３５    台
３６    モータ
３７    チェーン
４０    支持装置
４１    支持部材
４１Ａ，４１Ａ’    支持金具
４２    コロ
４３    ボールベアリング
５１    ボルト
５１ａ    ボルトの頭部
５２    ナット
５３    スプリングワッシャ
４１１Ａ    半筒部
４１２Ａ    固定穴
４１３Ａ    鍔部
４１４Ａ    軸支持部
４１５Ａ    支持穴
４１６    突起
４１７    窪み
４１７ａ    壁
４３１    内輪
４３２    ボール
４３３    外輪
【図１】
2014183787.tif 000003
【図２】
2014183787.tif 000004
【図３】
2014183787.tif 000005
【図４】
2014183787.tif 000006
【図５】
2014183787.tif 000007
【図６】
2014183787.tif 000008
【図７】
2014183787.tif 000009
【図８】
2014183787.tif 000010
【図９】
2014183787.tif 000011
【図１０】
2014183787.tif 000012